【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
隣接するバンド画像との間に重複領域が存在するように、入力画像を予め定めたライン数のバンド画像に分割する分割手段と、
前記バンド画像ごとに色調不良を示す画像領域を構成する候補画素を抽出する抽出手段と、
前記重複領域における前記候補画素を含む候補領域の位置に基づき、前記候補画素について特徴量判定を行うバンド画像を決定する決定手段とを備えることを特徴とする画像処理装置。
【請求項２】
前記決定手段は、前記重複領域に存在する前記候補領域の上部と前記バンド画像の下端の距離、および、前記候補領域の下部と前記バンド画像の下端の距離に基づき、前記特徴量判定を行うバンド画像を決定することを特徴とする請求項1に記載された画像処理装置。
【請求項３】
目の色調不良を示す画像領域を検出する画像処理装置であって、
隣接するバンド画像との間に重複領域が存在するように、入力画像から予め定めたライン数のバンド画像を、順次、分割する分割手段と、
前記バンド画像ごと、かつ、前記バンド画像の画素ごとに、予め定めた色成分に基づき前記色調不良の評価量を算出する算出手段と、
前記バンド画像ごとに、前記評価量に基づき前記色調不良を示す画像領域を構成する候補画素を抽出する画素抽出手段と、
前記バンド画像ごとに、前記候補画素が構成する予め定めた形状の候補領域を抽出する領域抽出手段と、
前記バンド画像ごとに、前記候補領域から算出した前記目の画像に関する特徴量に基づき、前記候補領域を補正領域にするか否かを決定する決定手段とを有することを特徴とする画像処理装置。
【請求項４】
前記算出手段は、前記入力画像のレッドおよびグリーン成分から前記評価値を算出する、または、前記レッドおよびグリーン成分に比べて小さい重みをブルー成分に適用して、前記レッド、前記グリーンおよび前記ブルー成分から前記評価値を算出することを特徴とする請求項3に記載された画像処理装置。
【請求項５】
前記画素抽出手段は、注目画素近傍に予め定めたウィンドウ領域を設定し、前記ウィンドウ領域に含まれる画素の前記評価量から閾値を決定し、前記閾値を用いて注目画素の前記評価量を二値化することで前記候補画素を抽出することを特徴とする請求項3または請求項4に記載された画像処理装置。
【請求項６】
前記画素抽出手段は、前記注目画素のライン上に複数画素分の前記ウィンドウ領域を設定することを特徴とする請求項5に記載された画像処理装置。
【請求項７】
前記画素抽出手段は、前記注目画素をライン方向に走査して候補画素になり得る画素を抽出した後、前記ライン上で逆方向に前記注目画素を走査して候補画素になり得る画素を抽出して、前記二回の走査でともに抽出した画素を前記候補画素とすることを特徴とする請求項5または請求項6に記載された画像処理装置。
【請求項８】
前記算出手段および前記画素抽出手段は、二つ目以降のバンド画像の前記重複領域の処理をスキップし、一つ前のバンド画像の前記重複領域の前記候補画素の抽出結果を利用することを特徴とする請求項3から請求項7の何れか一項に記載された画像処理装置。
【請求項９】
前記領域抽出手段は、前記候補画素が構成する円または楕円に近い形状の領域を前記候補領域として抽出することを特徴とする請求項3から請求項8の何れか一項に記載された画像処理装置。
【請求項１０】
さらに、前記重複領域に存在する前記候補領域について、処理中のバンド画像と次に処理するバンド画像のどちらで前記決定手段の処理を実行するかを判定する判定手段を有することを特徴とする請求項3から請求項9の何れか一項に記載された画像処理装置。
【請求項１１】
前記判定手段は、前記重複領域に存在する前記候補領域と、前記処理中のバンド画像の下端とのマージンを算出し、前記次に処理するバンド画像の上端とのマージンを推測し、両マージンの大小関係に基づき前記判定を行うことを特徴とする請求項10に記載された画像処理装置。
【請求項１２】
前記決定手段は、前記候補領域から前記目の画像に関する複数の特徴量を算出し、前記候補領域が、前記特徴量のすべてについて予め定めた基準、または、前記特徴量のうち予め定めた特徴量について前記基準を満たす場合、前記候補領域を前記補正領域と判定することを特徴とする請求項3から請求項11の何れか一項に記載された画像処理装置。
【請求項１３】
さらに、前記候補領域の近隣に、より大きい候補領域が存在する場合、小さい候補領域を除外する領域除外手段を有することを特徴とする請求項3から請求項12の何れか一項に記載された画像処理装置。
【請求項１４】
さらに、前記候補領域の近隣に他の候補領域が存在する場合、それら候補領域を結合する領域結合手段を有することを特徴とする請求項3から請求項12の何れか一項に記載された画像処理装置。
【請求項１５】
前記領域結合手段は、二つの前記候補領域の組み合わせを包含する領域の形状が、前記二つの候補領域の何れよりも正方形に近い場合に、前記二つの候補領域を結合することを特徴とする請求項14に記載された画像処理装置。
【請求項１６】
さらに、前記補正領域に対応する画像領域に、前記色調不良を補正する処理を施す補正手段を有することを特徴とする請求項3から請求項15の何れか一項に記載された画像処理装置。
【請求項１７】
隣接するバンド画像との間に重複領域が存在するように、入力画像を予め定めたライン数のバンド画像に分割する分割ステップと、
前記バンド画像ごとに色調不良を示す画像領域を構成する候補画素を抽出する抽出ステップと、
前記重複領域における前記候補画素を含む候補領域の位置に基づき、前記候補画素について特徴量判定を行うバンド画像を決定する決定ステップとを備えることを特徴とする画像処理方法。
【請求項１８】
目の色調不良を示す画像領域を検出する画像処理方法であって、
隣接するバンド画像との間に重複領域が存在するように、入力画像から予め定めたライン数のバンド画像を、順次、分割する分割ステップと、
前記バンド画像ごと、かつ、前記バンド画像の画素ごとに、予め定めた色成分に基づき前記色調不良の評価量を算出する算出ステップと、
前記バンド画像ごとに、前記評価量に基づき前記色調不良を示す画像領域を構成する候補画素を抽出する画素抽出ステップと、
前記バンド画像ごとに、前記候補画素が構成する予め定めた形状の候補領域を抽出する領域抽出ステップと、
前記バンド画像ごとに、前記候補領域から算出した前記目の画像に関する特徴量に基づき、前記候補領域を補正領域にするか否かを決定する決定ステップとを有することを特徴とする画像処理方法。
【請求項１９】
画像処理装置を制御して、請求項17または請求項18に記載された画像処理を実行することを特徴とするコンピュータプログラム。
【請求項２０】
請求項19に記載されたコンピュータプログラムが記録されたことを特徴とするコンピュータが読み取り可能な記憶媒体。
【手続補正２】
【補正対象書類名】明細書
【補正対象項目名】００２４
【補正方法】変更
【補正の内容】
【００２４】
本発明にかかる画像処理は、隣接するバンド画像との間に重複領域が存在するように、入力画像を予め定めたライン数のバンド画像に分割し、前記バンド画像ごとに色調不良を示す画像領域を構成する候補画素を抽出し、前記重複領域における前記候補画素を含む候補領域の位置に基づき、前記候補画素について特徴量判定を行うバンド画像を決定することを特徴とする。
【手続補正３】
【補正対象書類名】明細書
【補正対象項目名】００２５
【補正方法】変更
【補正の内容】
【００２５】
また、目の色調不良を示す画像領域を検出する画像処理であって、隣接するバンド画像との間に重複領域が存在するように、入力画像から予め定めたライン数のバンド画像を、順次、分割し、前記バンド画像ごと、かつ、前記バンド画像の画素ごとに、予め定めた色成分に基づき前記色調不良の評価量を算出し、前記バンド画像ごとに、前記評価量に基づき前記色調不良を示す画像領域を構成する候補画素を抽出し、前記バンド画像ごとに、前記候補画素が構成する予め定めた形状の候補領域を抽出し、前記バンド画像ごとに、前記候補領域から算出した前記目の画像に関する特徴量に基づき、前記候補領域を補正領域にするか否かを決定することを特徴とする。